(57)【特許請求の範囲】
【請求項１】
再生出力がモニタで表示され前記モニタの表示画像に起因して操作される装置を制御するユーザ端末で第1の絶対時刻に発せられ、ネットワークを介して与えられた動作指令信号に応答する動作を実施したときの第２の絶対時刻を応答信号と共に前記装置を制御する前記ユーザ端末へ返信する手段と、
前記装置を制御する前記ユーザ端末から送信されてきた、前記装置を制御する前記ユーザ端末の操作時点である前記第１の絶対時刻と前記第２の絶対時刻の時間差情報を保存する手段と、
前記ネットワークを介して与えられる前記装置を制御する前記ユーザ端末からのタグ作成を指示する指令信号に応答するとき、処理中のコンテンツの現相対時間を前記時間差情報で補正してタグ用の時間情報とする手段と有する前記装置を制御する前記ユーザ端末であって、
前記ユーザ端末に設けられ
前記動作指令信号を送信する手段と、
前記動作指令信号を送信したときの前記第1の絶対時刻を保存する手段と、
前記装置から返信されてきた前記第２の絶対時刻と前記第1の絶対時刻の差をとり前記時間差情報を生成する手段と、
前記生成した時間差情報を前記装置へ送信する手段と、を有し、
前記時間差情報を生成する手段を実行せしめるアプリケーション及び前記装置を操作するためのアプリケーションを含む複数のアプリケーションを管理するアプリケーション管理手段を有するユーザ端末。
【請求項２】
前記アプリケーション管理手段は、アプリケーションリストを生成する請求項１記載のユーザ端末。
【請求項３】
さらに操作画面を表示する表示部を有する請求項１記載のユーザ端末。
【請求項４】
さらに電話機能も有する請求項１記載のユーザ端末。
【請求項５】
再生出力がモニタで表示され前記モニタの表示画像に起因して操作される装置を制御するユーザ端末で第1の絶対時刻に発せられ、ネットワークを介して与えられた動作指令信号に応答する動作を実施したときの第２の絶対時刻を応答信号と共に前記装置を制御する前記ユーザ端末へ返信する手段と、
前記装置を制御する前記ユーザ端末から送信されてきた、前記装置を制御する前記ユーザ端末の操作時点である前記第１の絶対時刻と前記第２の絶対時刻の時間差情報を保存する手段と、
前記ネットワークを介して与えられる前記装置を制御する前記ユーザ端末からのタグ作成を指示する指令信号に応答するとき、処理中のコンテンツの現相対時間を前記時間差情報で補正してタグ用の時間情報とする手段と有する前記装置を制御する前記ユーザ端末における動作制御方法であって、
前記ユーザ端末において、
前記動作指令信号を送信し、
前記動作指令信号を送信したときの前記第1の絶対時刻を保存し、
前記装置から返信されてきた前記第２の絶対時刻と前記第1の絶対時刻の差をとり前記時間差情報を生成し、
前記生成した時間差情報を前記装置へ送信し、
前記時間差情報を生成するアプリケーション及び前記装置を操作するためのアプリケーションを含む複数のアプリケーションを管理する、
ユーザ端末の動作制御方法。
【請求項６】
再生出力がモニタで表示され前記モニタの表示画像に起因して操作される装置を制御するユーザ端末で第1の絶対時刻に発せられ、ネットワークを介して与えられた動作指令信号に応答する動作を実施したときの第２の絶対時刻を応答信号と共に前記ユーザ端末へ返信する手段と、
前記ユーザ端末から送信されてきた、前記ユーザ端末の操作時点である前記第１の絶対時刻と前記第２の絶対時刻の時間差情報を保存する手段と、
前記ネットワークを介して与えられる前記ユーザ端末からのタグ作成を指示する指令信号に応答するとき、処理中のコンテンツの現相対時間を前記時間差情報で補正してタグ用の時間情報として用いる手段と、
前記ユーザ端末が前記時間差情報を生成する手段を実行せしめるアプリケーション及び前記装置を操作するためのアプリケーションを含む複数のアプリケーションを管理するアプリケーション管理手段を有しており、前記複数のアプリケーションに応じた制御を実行する手段を含むことを特徴とする被制御装置。
【請求項７】
コンテンツの再生を行う再生制御処理部と、時間情報の処理を行う時間情報処理部とを含む制御ブロックを有し、再生出力がモニタで表示され前記モニタの表示画像に起因して操作される被制御装置の制御方法であって、前記制御ブロックは、
前記装置を制御するユーザ端末で第1の絶対時刻に発せられ、ネットワークを介して与えられた動作指令信号に応答する動作を実施したときの第２の絶対時刻を応答信号と共に前記ユーザ端末へ返信し、
前記ユーザ端末から送信されてきた、前記ユーザ端末の操作時点である前記第１の絶対時刻と前記第２の絶対時刻の時間差情報を保存し、
前記ネットワークを介して与えられる前記ユーザ端末からのタグ作成を指示する指令信号に応答するとき、処理中の前記コンテンツの現相対時間を前記時間差情報で補正してタグ用の時間情報として用い、
前記ユーザ端末が前記時間差情報を生成する手段を実行せしめるアプリケーション及び前記装置を操作するためのアプリケーションを含む複数のアプリケーションを管理するアプリケーション管理手段を有しており、前記複数のアプリケーションに応じた制御を実行することを特徴とする被制御装置の制御方法。
【発明の詳細な説明】
【技術分野】
【０００１】
本発明の実施形態は、ユーザ端末、ユーザ端末の動作制御方法、被制御装置及び被制御装置の制御方法に関する。
【背景技術】
【０００２】
従来の情報記録再生装置には、チャプタを自動的に生成するチャプタ自動生成手段が設けられている。チャプタが録再装置において自動生成されるときは、録再装置がチャプタ設定モードとされる。次に録再装置がコンテンツの再生状態となる。再生信号はモニタに映し出される。ユーザはモニタ画面を見ている途中で、チャプタ区切りを設定したいとき、リモートコントローラのキーを操作する。すると、録再装置では、キー操作がなされた時点ｔ１で一時停止が実施され、一停止箇所でタイトル内にチャプタｃ１が設定される。
【先行技術文献】
【特許文献】
【０００３】
【特許文献１】特開２００８−９８９６０号公報
【発明の概要】
【発明が解決しようとする課題】
【０００４】
本発明の一面は、チャプタのようにコンテンツに対する主として頭出して使用される単純な区切り情報ではなく、コンテンツの一部区間（始点と終点）を少なくとも指定するタグ関連情報を作成することができ、しかも、タグ関連情報をコンテンツに対する正確な位置で作成することができるように装置を制御するユーザ端末、ユーザ端末の動作制御方法、被制御装置及び被制御装置の制御方法。
【課題を解決するための手段】
【０００５】
実施形態によれば、再生出力がモニタで表示され前記モニタの表示画像に起因して操作される装置を制御するユーザ端末で第1の絶対時刻に発せられ、ネットワークを介して与えられた動作指令信号に応答する動作を実施したときの第２の絶対時刻を応答信号と共に前記装置を制御する前記ユーザ端末へ返信する手段と、前記装置を制御する前記ユーザ端末から送信されてきた、前記装置を制御する前記ユーザ端末の操作時点である前記第１の絶対時刻と前記第２の絶対時刻の時間差情報を保存する手段と、前記ネットワークを介して与えられる前記装置を制御する前記ユーザ端末からのタグ作成を指示する指令信号に応答するとき、処理中のコンテンツの現相対時間を前記時間差情報で補正してタグ用の時間情報とする手段と有する前記装置を制御する前記ユーザ端末であって、
前記ユーザ端末に設けられ、
前記動作指令信号を送信する手段と、前記動作指令信号を送信したときの前記第1の絶対時刻を保存する手段と、前記装置から返信されてきた前記第２の絶対時刻と前記第1の絶対時刻の差をとり前記時間差情報を生成する手段と、前記生成した時間差情報を前記装置へ送信する手段を有することを基本とする。
前記時間差情報を生成する手段を実行せしめるアプリケーション及び前記装置を操作するためのアプリケーションを含む複数のアプリケーションを管理するアプリケーション管理手段を有するユーザ端末。
【図面の簡単な説明】
【０００６】
【図１】実施形態の構成例を示すブロック図である。
【図２】前記実施形態の動作例を説明するために録再装置のチャプタスキップ動作と外部端末が情報取得を行うときの関係を示す図である。
【図３】前記実施形態の動作例を説明するために録再装置の情報送信動作と外部端末がコマンド送信及び情報取得を行うときの関係を示す図である。
【図４】他の実施形態の動作例を説明するために録再装置の情報送信動作と外部端末がコマンド送信及び情報取得を行うときの関係を示す図である。
【図５】他の実施形態の構成例を示すブロック図である。
【発明を実施するための形態】
【０００７】
以下、実施の形態について図面を参照して説明する。図１において、１０００は録再装置であり、この録再装置１０００は、単独であってもよいし、テレビジョン受信装置と接続されていてもよい。１００１は、録再装置を操作するためのリモートコントローラ（以下単にリモコンと称する）である。
【０００８】
リモコン１００１からの操作信号は、ユーザ操作入力部１００により受信され、制御ブロック２００内の制御部（メインコントローラ）２１２で解釈される。リモコン１００１からの操作信号が電源をオンするコマンドであれば、プラグ１３０が接続された電源モジュール１３１が起動する。これにより、録再装置１０００は主電源オン状態となる。なおリモコン信号受信などのため補助電源は常時オン状態に設定されている。
【０００９】
リモコン１００１からの操作信号が、放送信号から番組選択を行うコマンドであったとする。アンテナ１０１からの高周波信号がチューナ１０２に入力されており、チューナ１０２は指定され番組の信号を受信し、復調し、AV信号処理部１０３に供給する。AV信号処理部１０３は、入力した信号に対して各種の信号処理（走査線数変換、解像度変換、輝度補正、色相調整、ノイズ低減処理など）を選択的に行い、出力信号をモニタ４００に供給する。
【００１０】
制御ブロック２００は、GUI（グラフィックユーザインターフェース）処理部２１１、EPG（電子番組案内）情報処理部２３０を有する。EPG情報処理部２３０は、ネットワーク或いはチューナ１０２を介して、電子番組案内情報を取得することができる。取得された電子番組案内情報は、例えばメモリ１２０に格納される。この電子番組案内情報は、適宜更新される。ユーザが番組表を見たいときは、リモコン１００１を操作し、メニューを要求する。制御部２１２は、メニュー要求があったことを解析し、GUI処理部２１１に対してメニュー映像の出力を指令する。GUI処理部２１１は、例えばメモリ部１２０のメニュー映像データを読み出し、AV信号処理部１０３に供給する。これにより、モニタ４００にはメニュー画像が表示される。メニュー画像には、番組表表示の項目（アイコン）がある。ユーザがカーソル操作を行い、番組表表示の項目（アイコン）を選択し、決定ボタンを押すと、GUI処理部２１１は、メモリ１２０から電子番組案内情報を読出し、AV信号処理部１０３に供給する。AV信号処理部１０３は、入力した電子番組案内情報を処理し、番組表として出力し、モニタ４００に供給する。これによりモニタ４００には、番組表が表示される。ユーザは、番組表上でカーソルの移動操作を行い、希望の番組名（アイコン）を選択し、決定ボタンを押すと、当該番組の受信及び表示が行われる。
【００１１】
番組を録画予約する場合も、ユーザは、録画予約の操作キーを操作する。すると上記したように番組表がモニタ４００に表示されるので、ユーザは、番組表上でカーソルの移動操作を行い、希望の番組を指定し、決定ボタンを操作する。これにより、希望の番組の録画予約が可能である。またこのとき録画先の記憶メディアを指定することができる。記憶メディアとしては、光ディスク（DVD,ブルーレイディスク）１１２、ハードディスク１１４、メモリカード１１７などを指定可能である。光ディスク１１２に対する信号の録再が行われるときは、制御ブロック２００、ディスクドライブユニット１１１とAV信号処理部１０３とが連携して動作する。ハードディスク１１４に対する信号の録再が行われるときは、制御ブロック２００、ハードディスクドライブユニット１１３とAV信号処理部１０３とが連携して動作する。メモリカード１１７に対する信号の録再が行われるときは、制御ブロック２００、リーダライタ１１５とAV信号処理部１０３とが連携して動作する。
【００１２】
上記した記憶メディアのアクセス制御が行われ、再生処理が行われるときは、制御ブロック２００内の再生制御処理部２１４が統括的な動作を行う。録画処理が行われるときは、制御ブロック２００内の録画制御処理部２１５が統括的な動作を行う。例えば、AV信号処理部１０３と、ディスクドライブユニット１１１又はハードディスク１１４又はリーダライタ１１５の動作タイミングの制御などである。再生や録画が行われるとき、再生処理部２１４、録画制御部２１５は、設定モード処理部２１６で設定されている再生モードや録画モードに応じて再生或いは録画を制御する。設定モードとは、再生に関しては、倍速再生、解像度の変更、アスペクト比の設定、録画に関しては解像度の設定、録画速度モードの設定がある。
【００１３】
さらに制御ブロック２００は、自動チャプタ生成部２２１、チャプタ編集処理部２２２、タイトル及びチャプタ再生処理部２２４、チャプタ情報管理部２２４を含む。またタグリスト管理部２２５も含む。
【００１４】
自動チャプタ生成部２２１は、コンテンツ内の任意の位置（例えば、コマーシャルの始まりと終わりの位置、あるいは一定時間毎の位置）に区切り位置としてのチャプタ区切り情報を設定する事ができる。具体的には、例えばコマーシャルの始まりと終わりの位置を、それぞれ番組の開始からの経過時間情報として、作成する。この経過時間情報（チャプタ情報）は、チャプタをつけたタイトル名とともにチャプタ情報管理部２２４により整理されテーブル化される。そしてチャプタ情報は、例えばタイトル名とともにメモリ部１２０に保存される。
【００１５】
自動チャプタ生成部２２１において、チャプタが生成されるケースとしては、放送信号を受信しているときに受信している番組（コンテンツ）を録画しながらチャプタを生成する場合、あるいは一旦受信して記録媒体に記録した番組（コンテンツ）を再生しながらチャプタを生成する場合がある。いずれの場合も、チャプタ情報を生成する場合は、ユーザがリモコン或いはメニュー画面を介して、チャプタ自動生成の指定を行う。このチャプタの自動生成モードが設定されているか否かは、設定モード処理部２１６により管理されている。ユーザは、チャプタを編集することも可能である。例えばメニュー画面の中でチャプタ編集項目が選択されると、制御ブロック２００に含まれているチャプタ編集処理部２２２が起動する。チャプタ編集処理部２２２は、チャプタ情報が作成されているタイトル名をモニタ４００が表示するようにメモリ部１２０を制御する。タイトルがユーザにより指定されると、当該タイトルのチャプタ情報を参照して、例えばチャプタの先頭と終わりのサムネイルを作成して、モニタ４００が表示するように、記録媒体及びAV信号処理部１０３、メモリ部１２０などを制御する。これによりユーザはモニタ４００を見ながらカーソルによりサムネイルを指定し、チャプタを指定し、削除する、あるいは合体するなどの編集を行うことが可能である。
【００１６】
さらに制御ブロック２００は、タグリスト管理部２２５も有する。タグは、例えば始めと終わりの時間の映像期間指定時間情報として定義される。短時間の映像期間としては、例えば1フレーム期間でも良いし、数１０フレーム期間でもよい。この期間はこのような短時間のものに限定される必要は無く、さらに長い時間（例えば3分、6分など）のものでもよい。
【００１７】
タグ情報の作成方法は各種可能である。例えば、タグ識別名（タグリスト名として利用されても良いし、チャプタ名或いは独自にテキスト入力された識別名でもよい）とタグの作成間隔（時間間隔）を指定する方法がある。さらには、１つのタグの始めと終わりの時間間隔を指定することも可能である。またチャプタ情報を利用して、チャプタの先頭にタグを作成する方法もある。タグリスト管理部２２５は、このように作成されるタグを収集してタイトル毎のタグリスト情報（複数のタグ情報のペアを含む）を作成する。タグリスト管理部２２５は、作成したタグリストをタグリスト情報としてメモリ部１２０に転送して格納させる。
【００１８】
また制御ブロック２００には、時間情報処理部２３１が設けられている。この時間情報処理部２３１は、後述する時間差情報を保存し、ユーザ端末７００とこの録再装置１０００との動作上の時間的ずれを補正するために用いられる。
【００１９】
上記の録再装置１０００は、ネットワーク制御部３００を介してネットワーク５００に接続されている。このネットワーク５００には、データ管理サーバ６００が接続されている。また基地局８００が接続されている。基地局８００とユーザ端末７００は、相互通信が可能である。ユーザ端末７００は、例えば携帯電話機として機能する端末である。
【００２０】
データ管理サーバ６００は、ネットワーク上に接続された録画装置１００、ユーザ端末７００などと相互の通信を行うことができる。データ管理サーバ６００は、通知送受信部６０１、タグリスト管理部６０３、データベース６０４を含む。タグリスト管理部６０３は、録再装置１０００から送られてきたタグ情報を例えばタイトル名あるいはチャプタ名とともに管理する。そしてタグリスト情報として、データベース６０４に格納することができる。
【００２１】
なおタグ情報としての形態は、タイトル名、タイトル名の下位の層にタグリスト名が存在する。したがって、1つのタイトルに対して複数のタグリストを生成可能である。例えばユーザAとユーザBは、それぞれ嗜好に応じて独自のタグリストを作成することができる。
【００２２】
ユーザ端末７００は、データ送受信部７７０を含む。またユーザ操作処理部７０１を含む。ユーザ操作により発生した操作信号は、ユーザ操作処理部７０１で把握される。操作のための画面が必要な場合、このユーザ端末７００は、液晶或いはLEDの表示部を有し、操作画面を起動することができる。また操作画面の各種の画像内容、画像提供（画像拡大、縮小など）、画像切り替えなどは、操作入力に応じて端末画面表示処理部７０２により制御される。また電話に関する信号は、電話信号処理部７０３により処理されている。
【００２３】
またユーザ端末７００には、映像編集処理部７１１、時間情報処理部７１２も含まれる。映像編集処理部７１１を用いることにより、ユーザはモニタ４００を見ながら、このユーザ端末７００を用いて、録再装置１０００の記憶メディアから所望のタイトルの映像情報を読出し、編集処理を行うことができる。即ち映像編集処理部７１１は、録再装置１０００に対して、映像編集用のコマンドを送信するアプリケーションを含む。これによりユーザ端末７００は、あたかもリモコン１００１を操作しているかのように利用できる。編集処理によりコンテンツの途中の削除、或いは、他のコンテンツとの結合処理を行うことができる。
【００２４】
ユーザ端末は、設定情報処理部に対して、操作する各種の機器を登録することができる。設定情報に関する処理は、この設定情報処理部が主体となって動作する。また登録している機器を操作するためのアプリケーションがアプリケーションファイルに格納されており、アプリケーション管理部により管理されている。アプリケーション管理部はアプリケーションリストを生成することができる。
【００２５】
時間情報処理部７１２は、編集処理、タグ関連情報の作成などをこのユーザ端末７００を用いて実施するときに、モニタ４００上の画面の画像と、ユーザ端末７００を操作した時点とのずれを検出するために設けられている。例えば、録再装置から出力される画像として画像A,B,C,D,E,F,G,H,I・・・・が出力されているものとする。ユーザは、例えば画像Cの時点で、例えば一時停止操作を送信したものとする。すると、録再装置１０００が一時停止信号を受け取って、解析し、実際に一時停止を行うのは、画像Fが出力されている時点の場合がある。これは、ユーザ端末７００からの送信指令がネットワークを介して送信されていることに起因する。
【００２６】
そこで、このシステムでは、ユーザ端末７００は、一時停止指令信号と共に、絶対時間情報を送信する。一方、録再装置１０００は、一時停止を実施したとき、その応答信号とともに絶対時間情報（一時停止を実施したときの時刻）をユーザ端末７００に送信する。この絶対時間情報は、時間情報処理部２３１で監視されている。絶対時間情報は、例えば共通の現在の時点の時刻情報である。
【００２７】
ユーザ端末７００は、自分の送信した絶対時間情報（一時停止操作した時刻）と、録再装置１０００から送られてきた絶対時間情報（一時停止が実施された時刻）の絶対時間の差から、ユーザ端末７００を操作して、一時停止するまでの時間差情報を知ることができる。そこで、この時間差情報を録再装置１０００に送り、録再装置１０００側で、今後一時停止を行うときは、時間差だけ戻った位置のフレームを一時停止位置の画像として再生して出力する。またチャプタなどの区切り位置としての時間情報を作成する場合、時間差情報を用い、ユーザ端末７００から受けとった絶対時間よりも進んだ位置の時間を用いてチャプタ用の時間情報を作成する。時間差情報は時間情報処理部２３１で保存され、相対時間を補正するために利用される。相対時間は、コンテンツを再生したときにコンテンツの先頭をゼロとした、再生経過時間である。
【００２８】
なお絶対時間は、例えば録再装置１０００、ユーザ端末７００に内蔵されている自動時間あわせ機能を有した時計回路の出力を用いることが好ましい。
【００２９】
上記の説明では、ユーザ端末７００は携帯電話器であるとしたが、パーソナルコンピュータであってもよい。またデータ管理サーバ６００は、パーソナルコンピュータであってもよい。
【００３０】
図２は、ユーザ端末７００と録再装置１０００間で、指令信号出力時点と実際の動作実行時点との時間差情報を求めるための一例を示している。図２には、ユーザ端末７００と録再装置１０００とが共有する絶対時刻を示している。また録再装置１０００におけるコンテンツの再生経過と再生開始からの経過時間（相対時間）を示している。
【００３１】
今、録再装置１０００がコンテンツを再生しているものとする。ここで、ユーザ端末７００から一時停止指令信号が出力されたとする（再生経過時間は１：００３、絶対時刻は１８：１０：００３とする）。この指令信号は、基地局、ネットワークを介して、録再装置１０００に到達する。そして録再装置１０００では、制御部２１２が一時停止指令信号を解析して、再生制御処理部２１４に一時停止指令を行う。これにより再生動作が一時停止される（再生経過時間は１：００６、絶対時刻は１８：１０：００６とする）。録再装置１０００は、一時停止を実施すると、その応答信号をユーザ端末７００に向けて送信する。
【００３２】
上記のような通信において、一時停止指令信号はネットワークを介して録再装置１０００に到達するために、ユーザが一時停止を決定したときの再生フレームと、一時停止を実行したときの再生フレームが異なる。
【００３３】
このような時間差を検出するために、ユーザ端末７００は、一時停止指令信号を出力したときに、このときの絶対時刻を一時保存する。一方、録再装置１０００は、一時停止を実施したときに、このときの絶対時刻を応答信号と共にユーザ端末７００に送信する。これにより、ユーザ端末７００では、指令信号が送信されてから録再装置１０００が指令信号に応じた動作を実施するまでの時間差を知ることができる。
【００３４】
したがって、次にユーザ端末７００が録再装置１０００と交信を行うときは、ユーザ端末７００は、指令信号とともに時間差情報を送信する。一方、録再装置１００は、指令信号が到達した時刻は、実際には時間差分先行した時間であることを認識することができる。
【００３５】
上記の説明では、時間差情報を得るために、一時停止信号の操作時刻と録再装置において一時停止が実行された実行時刻とを利用した。しかしこれに限らず、種々の方法が可能である。例えば、再生指令時刻と再生実行の時刻などのように、ユーザ端末７００での何らかの指令時刻と、これに対して録再装置１０００が応答して動作する実行時刻が絶対時間上で検出できればよい。
【００３６】
図３を参照してユーザ端末７００と録再装置１０００間で行われる情報のやり取りと、各装置のデータ処理の様子を説明する。ユーザ端末７００ではメニュー画面の表示が行われる。メニュー画面から、交信相手の項目が選択されると、ユーザ端末７００に登録されている録再装置、テレビジョン受信装置などの機器識別情報が表示される。ユーザが録再装置１０００の機器識別情報を選択すると、録再装置１０００との交信が可能となる（ステップSA1、SA2）。
【００３７】
ユーザ端末７００から再生コマンドが送信されると、録再装置１０００が再生をスタートする（ステップSA3,SB1）。この前に、録再装置１０００で再生可能なコンテンツのタイトル名などがメニューとして例えばモニタ４００（ユーザ端末であってもよい）に表示され、ユーザは希望のタイトル名のコンテンツを指定する（なおこの処理ステップは図では省略している）。
【００３８】
今コンテンツの再生がスタートし、応答信号がユーザ端末７００に送信され、ユーザ端末７００は、応答信号を認識しているものとする。ここで、ユーザがモニタ４００の映像を見ながら、任意のタイミングで一時停止コマンドを送信すべくユーザ端末７００を操作したとする。このときユーザ端末７００は、一時停止コマンドを送信するとともに絶対時刻Aを保持する。
【００３９】
一時停止コマンドを受けた録再装置１０００は、一時停止を実行し、応答信号と共にユーザ端末７００に向けて実行時の絶対時刻Bを送信する（ステップSB2）。ユーザ端末７００は、絶対時刻Bを受け取り、（B-A)の計算を行い、操作と実行との時間差を計算する（ステップSA5)。
【００４０】
ユーザ端末７００は、スキップバック指令信号、再生条件（通常再生、高速再生など）の設定信号、先の時間差情報、とともに、再生指令信号を送信する（ステップSA6）。録再装置１０００は、タグリスト管理部２２５と再生制御部２１４が主となり動作する。スキップバック指令信号に応答して、録再装置１０００は、コンテンツの開始位置にスキップバックし、再生条件に応じた再生を開始する（ステップSB3）。録再装置１０００は、コンテンツの再生を実行しながら、タグ作成要求指令信号が到達したかどうかをチェックする（ステップSB4）。タグ作成要求指令信号が到達したら、すでにタグ開始時刻が所定のレジスタに作成され、保存されているかどうかの判定を行う（ステップSB5）。タグ開始時刻が作成されていない場合には、タグ開始時刻を作成して一時レジスタに保存する。このとき、タグ開始時刻は、コンテンツの開始位置から現在再生しているフレーム位置まで経過した時間から、先の時間差が減算された内容とされる。つまり、コンテンツの開始位置から現在再生しているフレーム位置まで経過した時間が、時間差情報により補正され、この補正された時間情報が、タグ開始時刻とされ、一時的にレジスタに保存される。さらにコンテンツの再生が継続される。ここでさらに次のタグ設定要求があると（ステップSB4）、こんどは、ステップSB7に移行する。ステップSB7では、コンテンツの開始位置から現在再生しているフレーム位置まで経過した時間が、時間差情報により補正され、この補正された時間情報が、タグ終了時刻とされ、一時的にレジスタに保存される。
【００４１】
このタグ開始及び終了時刻の情報は、タグ番号をふされて、またタグリスト番号あるいはタグリスト名（作成社名など自由にテキストで設定できる）を付されてタグ関連情報として外部に送信される。送信処理は、ネットワーク制御部３００が実行する。送信先は、ユーザ端末７００、或いは、データ管理サーバ６００である。ユーザ端末７００、或いは、データ管理サーバ６００は、タグ関連情報を受け取り、タグリストを構築することができる（ステップSB8,SA7）。
【００４２】
タグリストは、録再装置１０００内のタグリスト管理部２２５が一時的にメモリ部１２０に構築されてもよい。そしてタグリストが完成したら、制御部２１２の制御の元で、該タグリストが例えばデータ管理サーバ６００に送信される。データ管理サーバ６００は、送られてきたタグリストを、タグリスト管理部６０３を介して、データベース６０４に保存する。
【００４３】
ステップSB8の処理が終わると、一時保存していたタグ設定時刻がクリアされ（ステップSB9）、コンテンツが最後まで再生されたかどうか判定される（ステップSB9）。コンテンツが最後まで再生されているときは、処理は終了するが、さらに再生すべきコンテンツが残っている場合は、ステップSB4に戻り、上記のタグリスト生成処理が継続される。
【００４４】
上記した説明では、タグリストは、開始時刻と終了時刻がユーザ操作に基づいて作成されるとした。しかしこれに限らず、開始時刻のみがユーザの操作により指定され、終了時刻は自動的に決まるようにしてもよい。このときは、ユーザ端末７００に、タグ情報処理方法のメニューが用意される。メニュー画像データは、端末画面表示処理部７０２にて処理される。
【００４５】
例えば、タグ作成項目がメニューの中から選択されると、「タグ開始・終了時刻の両方をユーザ操作で決める」、「タグ開始時刻のみユーザ操作で決める」の項目が現れる。「タグ開始時刻のみユーザ操作で決める」を選択すると続いて、「タグ開始時刻からタグ終了時刻までの間隔を自動で（００：００：００）とする」とすると言う項目が現れ、ユーザは開始・終了時刻の間隔を決めることができる。
【００４６】
上記の装置では、完成したタグリストは、最終的には、例えばデータ管理サーバ６００に保存される。このタグリストは、上記したユーザ（第1のユーザ）に限らず他のユーザ（第２のユーザ）によっても利用することができる。第２のユーザが、同様なユーザ端末（第２のユーザ端末）を所有し、かつ、上記の録再装置１０００、データ管理サーバ６００などの識別情報を第２のユーザ端末に登録しておけば、第1のユーザと同様に各装置を制御することができる。
【００４７】
例えばデータ管理サーバ６００に格納されているタグリスト１を使用して、録再装置１１０００におけるタイトル１を再生したいと希望することある。このような場合、第２のユーザは、データ管理サーバ６００内のタグリスト管理部６０３からのメニュー情報を取得し、所望のタグリスト（タグリスト１）を選択すると、タグリスト１が録再装置１０００に転送される。そして、タグリスト再生モードを指定して、タグリスト1を指定し、再生指令信号を送ると、録再装置１０００では、タグリスト１に基づく再生が開始される。
【００４８】
このように、本システムでは、ユーザ１が作成したタグリスト１が外部のデータ管理サーバ６００に保存されている。このための他のユーザ２は、自分でタグリストを作成することなく、データ管理サーバ６００をアクセスしてタグリスト１を利用することが可能である。
【００４９】
しかしタグリストが生成される途中経過のときは、一時的に録再装置１０００内に保存され、完成したときに外部のデータ管理サーバ６００に送信され、ここで、保存されてもよい。またタグリストが生成され途中経過のときは、一時的にユーザ端末７００のメモリに一時的に格納され、完成したら外部のデータ管理サーバ６００に送信され、ここで、保存されてもよい。さらには、ユーザ端末７００において、データ管理サーバ６００をタグリスト構築部として指定することが可能である。そして録再装置１０００においてタグリストのタグ関連情報が作成される都度、データ管理サーバ６００に該タグ関連情報が送信され、データ管理サーバ６００内でタグリストが完成されてもよい。
【００５０】
図４には他の動作例を示すフローチャートを示している。録再装置１０００とデータ管理サーバ６００は、ユーザ端末７００から起動指令信号が送られ、起動される（ステップSG1,SG2,SE0，SF0）。データ管理サーバ６００は、タグリスト作成準備状態となる。また録再装置１０００と、ユーザ端末７００との交信により、先に説明した時間差情報が、双方に得られる（ステップSG3）。
【００５１】
ユーザ端末７００から再生コマンドが送信され、録再装置１０００において、選択されたコンテンツの再生が開始される（ステップSG4,SE1）。ユーザは再生される映像を、モニタ４００を介して見る。そしてタグ設定を希望する映像が表示されたとき、タグの開始位置としてのタグ要求操作を行う（ステップSG5）。
【００５２】
タグ要求に応じて、録再装置１０００は、タグ関連情報を作成して、データ管理サーバ６００へ送信する（ステップSE1,SE2,SE3,SE4）。さらに録再装置１０００は、コンテンツの再生が終了したかどうかの判定を行い（ステップSE5)、終了していない場合には、ステップSE1に戻り再生を続ける。
【００５３】
一方、タグ関連情報を受け取ったデータ管理サーバ６００は、タグリストを構築する（ステップSF1,SF2）。ユーザは、ユーザ端末７００を操作し、タグ要求操作を行い、タグの開始点と終了点を特定する。コンテンツの再生が終了するまで、ユーザは所望の数のタグを作成することができる。例えば、コマーシャル開始時点と終了時点をタグの開始点と終了点に選んでもよい。或いは好みの歌手の歌い始めと終わりをタグの開始点と終了点に選んでもよい。或いは好みのニュースキャスターが画面に現れた時をタグの開始点とし、画面から消えたときタグの終了点に選んでもよい。
【００５４】
コンテンツの再生が終了すると、録再装置１０００は、データ管理サーバ６００、ユーザ端末７００へコンテンツ再生の終了を報告する。データ管理サーバ６００は、終了報告を受けると、構築したタグリストを保存する。またユーザ端末７００は、タグリスト生成モードを終了し、次の操作を待つ待機状態となる。
【００５５】
上記の説明では、録再装置１０００がコンテンツを再生しているときにタグを作成するとして説明した。しかし、放送信号を受信し、デコードした映像情報を記憶媒体に記憶している途中であっても、上記の考え方が適用可能である。ただし、リアルタイムの映像信号についてタグを作成しているので、スキップバック再生は不可能である。
【００５６】
図５は、上記実施例で示した装置が採用されている環境の一例を示している。ネットワーク５００は、家庭内ネットワークあるいは外部ネットワークのいずれであっても良い。また各部屋に通じる家庭内LAN５１１が設置されているものとする。部屋Aには、テレビジョン受信装置４００Aが設置され、このテレビジョン受信装置４００Aにはハードディスクドライブを有する録再装置１０００Aが接続されているものとする。また部屋Bには、テレビジョン受信装置４００、録再装置１０００、１００１が設置されているものとする。テレビジョン受信装置４００は、図１で説明したようにもモニタとして活用される。さらに部屋Cには、テレビジョン受信装置４００Cが設置されている。このテレビジョン受信装置４００Cには、ハードディスクドライブを有する録再装置１０００Cが接続されている。また部屋Cには、撮像カメラ１５００が設置されている。
【００５７】
上記の各装置は、家庭内LAN５１１に接続されており、ユーザ端末７００にその装置識別情報が登録されている。したがって、ユーザ端末７００は、希望の装置を識別情報により指定し、指定した装置を操作することができる。ユーザ端末７００は、各部屋にそれぞれ用意されていてもよい。ユーザ端末７００Aは、部屋Aの使用する人が所有し、ユーザ端末７００Bは部屋Bを使用する人が所有し、ユーザ端末７００Bは部屋Cを使用する人が所有してもよい。
【００５８】
さらに家庭内LAN５１１には、家庭内の機器の電源制御、データ送受信のための調停などを行う制御装置６５０が接続されている。
【００５９】
テレビジョン受信装置４００A、４００B、ハードディスクドライブ１００２，１００３、複数の録再装置１０００、１００１、データ管理サーバ６００などの機器識別情報は、ユーザ端末７００に登録されているものとする。したがって、ユーザ端末７００が機器識別情報を指定して、制御用の指令信号を送れば、いずれの機器もコントロールすることができる。例えば、テレビジョン受信装置４００Aの電源オンオフ、チャンネル切り替えなどである。またハードディスクドライブ１００２の操作に関しても、先に説明した録再装置１０００に対する操作と同様な操作を行うことができる。
【００６０】
データ管理サーバ６００は、家屋の外の遠隔地に設置されていてもよく、家屋内に設置されていてもよい。
【００６１】
またユーザ端末７００は、外部の基地局を介して各装置との通信を行う、あるいは、赤外線を媒体として直接テレビジョン受信装置４００と交信することもあるが、ユーザの操作の遅れ、或いは回線網の影響で、ユーザが希望するタグを付す映像と、受信装置或いは録再装置側でタグが付される映像とのずれが生じることがある。このような場合、本実施例であると、上記ずれを防止することができる。
【００６２】
上記のような構成であると、タグリストが例えばデータ管理サーバ６００に保存されているとすると、他のユーザは、同様なユーザ端末を用いてアクセスすることができる。
【００６３】
また、ネットワークに接続されている各種機器間での通信方式は各種の方法が開発されており、いずれを用いてもよいし、組み合わせて用いてもよい。また各機器にはIPアドレスが設定され、相互に機器間の認証機能も設けられている。
【００６４】
また、時間差情報の取得は、タグリストが作成されている間でいずれのタイミングでもよい。時間差情報が判明したときに、それまで設定したタグの開始時刻及び終了時刻を一括して修正し、以後は時間差情報で、タグの開始時刻及び終了時刻を補正するようにしてもよい。
【００６５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６６】
１００・・・ユーザ操作入力部、１０１・・・チューナ、１０３・・・AV信号処理部、１１１・・・ディスクドライブユニット、１１２・・・光ディスク、１１３・・・ハードディスクドライブユニット、１１４・・・ハードディスク、１１５・・・リーダライタ、１１７・・・メモリカード、１２０・・・メモリ部、２００・・・制御ブロック、２１１・・・GUI処理部、２１２・・・制御部、２１４・・・再生制御処理部、２１５・・・録画制御処理部、２１６・・・設定モード処理部、２２１・・・自動チャプタ生成部、２２２・・・チャプタ編集処理部、２２３・・・タイトル及びチャプタ再生処理部、２２４・・・チャプタ情報管理部、２２５・・・タグ情報管理部、３００・・・ネットワーク制御部、４００・・・モニタ、５００・・・ネットワーク、６００・・・データ管理サーバ、６０１・・・通知送受信部、６０３・・・タグリスト管理部、６０４・・・データベース、７００・・・ユーザ端末、７０１・・・ユーザ操作処理部、７０２・・・端末画面表示処理部、７０３・・・電話信号処理部、７１１・・・映像編集処理部、７１２・・・時下情報処理部、７７０・・・データ送受信部。
【図１】
0005395875.tif 000002
【図２】
0005395875.tif 000003
【図３】
0005395875.tif 000004
【図４】
0005395875.tif 000005
【図５】
0005395875.tif 000006